(57)【特許請求の範囲】
【請求項１】
作像エンジンを制御する第１制御手段を含むエンジンボードと、
該エンジンボードを制御する第２制御手段、および、前記第１制御手段が参照する動作設定用の第１情報並びに前記エンジンボードを制御するために前記第２制御手段が参照する動作設定用の第２情報を保持するための不揮発性メモリ、を含むアプリケーションボードと、
該アプリケーションボードに給電するためのオン，オフが行われる主電源スイッチと、
該主電源スイッチのオンにより、前記アプリケーションボードに動作電圧を印加する電源回路と、
前記第２制御手段により前記エンジンボードに給電するためのオン，オフ制御が行われる副電源スイッチと、
前記第１情報を保持するための、前記主電源スイッチがオンの間継続して給電される前記エンジンボード上の揮発性メモリと、
前記揮発性メモリへの前記電源回路の出力給電ラインと前記副電源スイッチの出力ラインに接続され、前記主電源スイッチのオフ又はオン及び前記第２制御手段による前記副電源スイッチのオフ又はオンによって得られる出力レベルを検出する主電源投入検出手段と、
を備える画像形成装置であって、
前記第１制御手段は、
前記主電源投入検出手段が検出した前記出力レベルに応じて前記主電源スイッチのオンであるか、あるいは前記主電源スイッチの継続したオンの間で且つ前記副電源スイッチのオフからオンへの切換りによる再給電であるかを判定し、
前記主電源スイッチのオンであると判定した場合には、前記揮発性メモリの初期化を行った後、前記不揮発性メモリに保持された前記第１情報を前記揮発性メモリに書き込むダウンロード要求を前記アプリケーションボードに与えるとともに、前記揮発性メモリへの前記第１情報のダウンロード完了を待って前記作像エンジンに対するタスクの起動を行い、
前記主電源スイッチの継続したオンの間で且つ前記副電源スイッチのオフからオンへの切換りによる再給電であると判定した場合には、前記不揮発性メモリに保持された前記第１情報を前記揮発性メモリへ格納した領域以外の領域の初期化を行った後、前記ダウンロード要求を保留するとともに、前記タスクの起動を行う、
ことを特徴とする画像形成装置。
【請求項２】
前記出力レベルは、前記電源回路の前記出力給電ラインの電圧の昇降に応じて遅れて充放電するコンデンサの電圧と前記副電源スイッチのオフ又はオン時における電圧とを用いた論理回路の出力である、請求項１に記載の画像形成装置。
【請求項３】
前記エンジンボードは、前記不揮発性メモリに保持された前記第１情報の適否を判定し、適であると判定した場合には、前記揮発性メモリに前記第１情報を書き込み、不適であると判定した場合には、前記揮発性メモリにデフォルト値を書き込む、請求項１に記載の画像形成装置。
【請求項４】
前記エンジンボードは、前記第１制御手段が前記揮発性メモリの前記第１情報の値を書き換えたときには、前記アプリケーションボードに通知し、該アプリケーションボード上の前記不揮発性メモリのデータを書き換える、請求項１に記載の画像形成装置。
【発明の詳細な説明】
【０００１】
【発明の属する技術分野】
本発明は、シートまたは用紙に画像データが表す画像を形成する機構すなわち作像エンジン，その各作像プロセス要素の動作を制御する電気回路を装備したエンジンボード、ならびに、該エンジンボードに画像データや作像指示をあたえる電気回路を装備したアプリケーションボード、を含む画像形成装置に関する。この画像形成装置の代表的な例は、プリンタ，複写機，ファクシミリ、あるいは、これらの機能に更にネットワーク通信機能，原稿スキャナ機能あるいは画像蓄積機能を備えて、ネットワークに接続されたパソコンに対して画像の入，出力を行いうる複合機能複写機、である。
【０００２】
【従来技術】
例えば、感光体ドラムを荷電して荷電面に光を投射して露光し、露光により形成された静電潜像を現像してトナー像にしてこれを記録紙に転写する電子写真方式の作像エンジンを用いる画像形成装置の場合、この作像エンジンを制御するエンジンボードには、作像機能要素を駆動する電気回路（ドライバ），作像エンジンにあるセンサの検出信号を処理する検出回路、ならびに、ＣＰＵ，ＲＡＭおよびＲＯＭを含むマイクロコンピュータシステムがある。記録濃度が変化しやすいので、現像濃度を検出してそれを適値に維持するように、帯電チャージャの高電圧，現像バイアス，除電ランプ電圧など作像プロセス条件をＣＰＵが調整しそれらの適値（調整値）をメモリに保持する。
【０００３】
画像形成装置の主電源スイッチのオフや、主電源スイッチはオンであっても省電力のために副電源スイッチをオフにして作像エンジンおよびエンジンボードへの給電は遮断している待機の間も、メモリに前述の調整値を保持するために、エンジンボードに不揮発性メモリ（ＮＶＲＡＭ）を備えて、これに作像プロセス条件の調整値を保持している。
【０００４】
また、たとえば前述の複合機能複写機の場合には、使用者とのインターフェイスである操作／表示ボードを介した使用者の指示に応じて原稿スキャナおよびエンジンボードに指令を与えて複写を行う複写アプリケーションボード（以下、複写ボード），パソコンからのプリントアウト指示に応答してエンジンボードに指令を与えてパソコンが与えるデータを作像エンジンでプリントアウトするプリンタアプリケーションボード（以下、プリンタボード）、および、操作／表示ボード又はパソコンを介した使用者の指示に応じて、原稿スキャナに指示を与えて原稿の画像を読んでファクシミリ通信回線に送出し又は送られてくる画像データをエンジンボードに指示を与えて作像エンジンでプリントアウトするファクシミリアプリケーションボード（以下、ＦＡＸボード）がある。
【０００５】
例えば上述の複写ボードには、操作／表示ボードに通電して入力信号を生成しディスプレイを駆動する電気回路、ならびに、ＣＰＵ，ＲＡＭおよびＲＯＭを含むマイクロコンピュータシステムがある。複写条件には、給紙サイズ，複写倍率，複写濃度，コピーセット枚数，片面／両面モード，編集等、多くあり、標準の条件（標準モード）の内容を初期値として設定できる。この標準モード（初期値），時々のユーザ設定値，使用履歴，異常履歴等、使用管理情報をメモリに保持するために、複写ボードにも不揮発性メモリ（ＮＶＲＡＭ）がある。特開平０９−２００４０３号公報に開示の画像形成装置は、機能拡張を容易にするために、機能拡張部分のプログラム格納領域をＮＶＲＡＭ領域に設けている。
【０００６】
【発明が解決しようとする課題】
エンジンボードの不揮発性メモリに保持すべき上述の作像プロセス条件の調整値は、比較的に種類が限られているので、不揮発性メモリは、各種アプリケーションボード（例えば上述の複写ボード，プリンタボードおよびＦＡＸボード）の１つに一括して載せることが、エンジンボード単体のコストを考えた場合も望ましいと思われる。
【０００７】
本発明は、エンジンボードのメモリを簡易にすることを第１の目的とし、作像エンジンの作像プロセス条件の調整値の保存のための不揮発性メモリをエンジンボードからは省略ししかも調整値の不揮発保存は実現することを第２の目的とする。
【０００８】
【課題を解決するための手段】
（１）作像エンジン(5)を制御する第１制御手段(CPU 19)を含むエンジンボード(1)と、
該エンジンボードを制御する第２制御手段(CPU 20)、および、前記第１制御手段が参照する動作設定用の第１情報(作像プロセス条件の調整値）並びに前記エンジンボードを制御するために前記第２制御手段が参照する動作設定用の第２情報（使用管理情報）を保持するための不揮発性メモリ(27)、を含むアプリケーションボード(2)と、
該アプリケーションボードに給電するためのオン，オフが行われる主電源スイッチ(12)と、
該主電源スイッチのオンにより、前記アプリケーションボードに動作電圧を印加する電源回路(11)と、
前記第２制御手段により前記エンジンボードに給電するためのオン，オフ制御が行われる副電源スイッチ(13)と、
前記第１情報を保持するための、前記主電源スイッチがオンの間継続して給電される前記エンジンボード上の揮発性メモリ(15)と、
前記揮発性メモリへの前記電源回路の出力給電ラインと前記副電源スイッチの出力ラインに接続され、前記主電源スイッチのオフ又はオン及び前記第２制御手段による前記副電源スイッチのオフ又はオンによって得られる出力レベル(Ps)を検出する主電源投入検出手段(28)と、
を備える画像形成装置であって、
前記第１制御手段(CPU 19)は、
前記主電源投入検出手段が検出した前記出力レベル(Ps)に応じて前記主電源スイッチのオンであるか、あるいは前記主電源スイッチの継続したオンの間で且つ前記副電源スイッチのオフからオンへの切換りによる再給電であるかを判定し(S4)、
前記主電源スイッチのオンであると判定した場合には、前記揮発性メモリの初期化を行った後、前記不揮発性メモリに保持された前記第１情報を前記揮発性メモリに書き込むダウンロード要求を前記アプリケーションボードに与えるとともに(S5,S6)、前記揮発性メモリへの前記第１情報のダウンロード完了を待って前記作像エンジンに対するタスクの起動を行い(S9,S10)、
前記主電源スイッチの継続したオンの間で且つ前記副電源スイッチのオフからオンへの切換りによる再給電であると判定した場合には、前記不揮発性メモリに保持された前記第１情報を前記揮発性メモリへ格納した領域以外の領域の初期化を行った後、前記ダウンロード要求を保留するとともに、前記タスクの起動を行う(S14,S15)、
ことを特徴とする画像形成装置。
【０００９】
なお、理解を容易にするためにカッコ内には、図面に示し後述する実施例の対応要素の記号又は対応事項を、参考までに付記した。以下も同様である。
【００１０】
これによれば、第１制御手段(19)が、不揮発性メモリ(27)の第１情報（調整値）を揮発性メモリ(15)に展開するので、揮発性メモリ(15)に展開した第１情報（調整値）を参照して作像エンジン(5)の動作を設定し制御をすることができる。揮発性メモリ(15)に展開するとき揮発性メモリ(15)を初期化するので、すなわちデータダウンロード前に初期化を行うので、電源投入時のノイズ等による揮発性メモリ(15)上のデータにデータ化けが発生してもロードデータに悪影響を及ぼす危険性を確実に防ぐことができる。
【００１１】
主電源スイッチ(12)の投入後はエンジンボード(1)上の揮発性メモリ(15)は常に通電されているので、副電源スイッチ(13)のオフ／オン後も揮発性メモリ(15)に適正な第１情報(調整値)が残っており、不揮発性メモリ(27)から揮発性メモリ(15)への第１情報のダウンロードを保留するので、それに要する時間分、次のタスク(30〜33)を起動する時間が早くなって、立上がり時間を短縮できるだけでなく、データ化けが発生して揮発性メモリ(15)に誤ったデータを書き込む危険性を確実に防ぐことができる。
【００１２】
副電源スイッチ(13)のオフ／オンではダウンロード要求を出さないので、ダウンロードに要する時間分、次のタスク(30〜33)を起動する時間が早くなって、立上がり時間を短縮できる。
【００１３】
【発明の実施の形態】
（２）前記出力レベル(Ps)は、前記電源回路(11)の前記出力給電ラインの電圧の昇降に応じて遅れて充放電するコンデンサの電圧と前記副電源スイッチのオフ又はオン時における電圧とを用いた論理回路(31)の出力である、上記（１）に記載の画像形成装置。
【００１４】
（３）前記エンジンボードは、前記不揮発性メモリに保持された前記第１情報の適否を判定し、適であると判定した場合には、前記揮発性メモリに前記第１情報を書き込み、不適であると判定した場合には、前記揮発性メモリにデフォルト値を書き込む、上記（１）に記載の画像形成装置。
【００１５】
これによれば、ダウンロードデータ（調整値）の有効性を判定してエンジンボード(1)上の揮発性メモリ(15)に書き込むので、揮発性メモリ(15)に誤ったデータが書込まれることによる誤作動を確実に抑えることができる。データが不適のときは、デフォルト値を書き込むので、作像エンジンが動作開始時に間違ったデータを元に処理を行うことによる暴走等の致命的なエラーを未然に防ぐことができる。
【００１６】
（４）前記エンジンボードは、前記第１制御手段が前記揮発性メモリの前記第１情報の値を書き換えたときには、前記アプリケーションボードに通知し、該アプリケーションボード上の前記不揮発性メモリのデータを書き換える、上記（１）に記載の画像形成装置。
【００１７】
これによれば、エンジンボード(1)上の変更情報が確実にアプリケーションボード(2)の不揮発性メモリ(27)にあるので、主電源スイッチ(12)のオン／オフを行っても、作像エンジン(5)を再投入前の状態にて確実に動作させることができる。
【００１８】
本発明の他の目的および特徴は、図面を参照した以下の実施例の説明より明らかになろう。
【００１９】
【実施例】
図１の（ａ）に、本発明の一実施例を示す。図１の（ａ）では例として、複写機能デバイス（１，２，５〜８）に加えてプリンタボード３，ＦＡＸボード４および通信ボード９を含む画像形成装置ＣＰＲを示す。これは複合機能複写機である。複写機能デバイスは、使用者がコマンドを入力するための操作／表示ボード６，原稿の画像を読んで画像データに変換する原稿スキャナ７，これに原稿を給，排するＡＤＦ（原稿自動供給装置）８，感光体ドラムを荷電して荷電面に光を投射して露光し、露光により形成された静電潜像を現像してトナー像にしてこれを記録紙に転写する電子写真方式の作像エンジン５，そのなかの各作像プロセス要素の動作を制御する電気回路を装備したエンジンボード１、ならびに、操作／表示ボード６からの複写指示に応じて原稿スキャナ７およびエンジンボード１に指令を与えて複写を行う複写ボード２、であり、これらはいわゆるデジタル複写機を構成している。
【００２０】
プリンタボード３は、図示しないパソコンから通信線１０および通信ボード９を介して与えられるプリントアウト指示に応答してエンジンボード１に指令を与えてパソコンが与えるデータを作像エンジン５でプリントアウトする。ＦＡＸボード４は、操作／表示ボード６又はパソコンを介した使用者の指示に応じて、原稿スキャナ７に指示を与えて原稿の画像を読んでファクシミリ通信回線に送出し又は該回線から送られてくる画像データを、エンジンボード１に指示を与えて作像エンジン５でプリントアウトする。
【００２１】
図１の（ｂ）に示すように、各ボード１〜４には各々、中央演算装置ＣＰＵ１９〜２２，プログラム格納用の読み取り専用メモリＲＯＭ２３〜２６，及び一時データ保持用の揮発性メモリＲＡＭ１５〜１８を含むマイクロコンピュータシステムがあり、それらの他に、図示しない入出力電気回路（入出力インターフェース），ボード間通信回路（通信インターフエース），バスおよびコネクタ、があり、各ボード１〜４上のマイクロコンピュータシステムは、図示しないバスおよびコネクタで接続されている。各マイクロコンピュータ（のＣＰＵ１９〜２２）は、それが乗ったボード上の電気回路ならびにボードに接続されている負荷あるいは周辺機器の制御、ならびに、ボード間通信とデータ転送の制御を行う。
【００２２】
この実施例では、さらに複写ボード２に、唯一不揮発性メモリ（ＮＶＲＡＭ）２７が搭載されている。主電源スイッチ１２がオンになると、電源回路１１が画像形成装置ＣＰＲの動作に所要の電圧を発生し、複写ボード２，プリンタボード３およびＦＡＸボード４に、待機給電ラインを通して動作電圧が加わる。
【００２３】
エンジンボード１上のＲＡＭ１５は該待機給電ラインを通して給電されるので、主電源スイッチ１２がオンの間は、ＲＡＭ１５の記憶データは保存（保持）されており、主電源スイッチ１２がオフになると消失する。
【００２４】
しかし、エンジンボード１上の他の要素、ならびに作像エンジン５には、副電源スイッチ１３，１４が、複写ボード２のＣＰＵ２０によってオンにされない限り、給電はない。
【００２５】
この実施例では、主電源投入検出回路２８がＲＡＭ１５への待機給電ラインと副電源スイッチ１３の出力ラインに接続されている。主電源スイッチ１２がオフからオンに切換って待機給電ラインに所定の電圧が加わると、抵抗２９を通してコンデンサ３０が充電されて、Ｔｕの遅れ時間ののちに、コンデンサ３０の電圧が待機給電ラインの電圧近くに立ち上がる。このＴｕより短い時間以内に副電源スイッチ１３がオンになったときには、アンドゲート３１の出力Ｐｓは低レベルＬに留まり、副電源スイッチ１３の出力によって起動したＣＰＵ１９は、この起動をした時にアンドゲート３１の出力ＰｓがＬであると、今回の起動が主電源スイッチ１２のオン直後の起動であると認知する。
【００２６】
主電源スイッチ１２がオンになってからＴｕ以上が経過ししかも副電源スイッチ１３もオンである時には、アンドゲート３１の出力Ｐｓは高レベルＨである。主電源スイッチ１２がオンのまま、原稿画像の読取，プリントあるいは複写などの指示を待つ待機状態が設定時間以上続くと、複写ボード２のＣＰＵ２０が副電源スイッチ１３，１４をオフにする。すなわち省電力待機モードに入る。そして、上述の指示が入るとＣＰＵ２０が副電源スイッチ１３，１４をオンにし、これによって動作電圧がＣＰＵ１９に加わって該ＣＰＵ１９が起動する。このときには、コンデンサ３０の電圧が高いので、ＣＰＵ１９が起動した時アンドゲート３１の出力Ｐｓは高レベルＨであり、ＣＰＵ１９は、省電力待機モードからの復帰、すなわち、主電源スイッチ１２の継続したオンの間の副電源スイッチ１３のオフからオンへの切換りによる再給電による起動、と認知する。なお、主電源スイッチ１２がオフになったときには、コンデンサ３０が抵抗２９および３２を通して放電して、機器アース電位になる。
【００２７】
図２の（ａ）を参照する。複写ボード２上の不揮発性メモリＮＶＲＡＭ２７から、作像エンジン５の作像プロセス条件の調整値を、エンジンボード１上の揮発性メモリＲＡＭ１５に、ダウンロードし格納するために、エンジンボード１上のＲＡＭ１５には、ダウンロードされるデータ（作像プロセス条件の調整値）を格納するための領域１５ａを定め、しかも、エンジンボード１上のＲＯＭ２３の領域２３ａには、ダウンロードするデータ（作像プロセス条件の調整値）個々の型及び範囲、さらにはデフォルト値（初期値）を書込んでいる。
【００２８】
図２の（ｂ）には、エンジンボード１の機能の概要を示し、図３には、主電源スイッチ１２がオンになった直後のＣＰＵ２０のダウンロード処理の概要と、副電源スイッチ１３がオンになった直後のＣＰＵ１９のダウンロード処理の概要を示す。主電源スイッチ１２がオンになって動作電圧が加わると複写ボード２のＣＰＵ２０が起動して副電源スイッチ１３，１４をオンにする（ステップＳ１，Ｓ２）。副電源スイッチ１３がオンになると、エンジンボード１のＣＰＵ１９が起動して、今回の起動が、主電源スイッチ１２のオン直後のものであるかを、主電源投入検出回路２８のアンドゲート３１の出力Ｐｓを参照して判定する（ステップＳ３，Ｓ４）。すでに説明した通り、出力Ｐｓが低レベルＬであると今回の起動は主電源スイッチ１２のオン直後のもの、高レベルＨであると今回の起動は、主電源スイッチ１２の継続したオンの間の副電源スイッチ１３のオフからオンへの切換りによる再給電によるもの、である。
【００２９】
今回の起動が主電源スイッチ１２のオン直後のもの（Ｐｓ：Ｌ）であると、エンジンボード１のＣＰＵ１９は、ダウンロードされるデータ（作像プロセス条件の調整値）を格納するＲＡＭ領域１５ａを、コピアインターフェース３３を介して、図２の（ｂ）に示す経路(2)で示すように、初期化する（ステップＳ５）。なお、以下においてはカッコ内には、ステップという語を省略してステップ記号のみを示し、必要に応じて図２の（ｂ）に示す経路Ｎｏ．を付加する。
【００３０】
諸種の初期動作を終えると、エンジンボード１のＣＰＵ１９は、複写ボード２に対し、ＮＶＲＡＭ２７のダウンロード要求を投げる（Ｓ６，(5)）。この要求に応答して複写ボード２のＣＰＵ２０は、ＮＶＲＡＭ２７の作像プロセス条件の調整値を順次投げＲＡＭ１５の領域１５ａに書き込むが（Ｓ１７，Ｓ６，(6)，(2)）、その際に受け取り側のコピアインターフェース３３は、ＲＯＭ２３の領域２３ａに書込まれている情報（型，指定可能な範囲等を持つ参照情報）を元に、転送データが正しいか否かを判定し（Ｓ９）、適正でなければ、ＲＯＭ２３の領域２３ａに書込まれているデフォルト値をＲＡＭ１５の領域１５ａに書き込み（Ｓ１２，(2)，(3)）、同時に通信異常と判断し、以降の処理を取りやめる（Ｓ１３）。
【００３１】
正常なダウンロードが続き、複写ボード２が送出すべきデータを終了したらその旨を複写ボード２はエンジンボード１に通知する（Ｓ１８）。これに応答してエンジンボード１のＣＰＵ１９は、エンジンボード１の待機していた各タスク３５〜３８に起動通知をかける（Ｓ１０，(1)）。以降、各タスクは初期動作を行い、最終的に画像形成装置ＣＰＲはＲＥＡＤＹ状態となる（Ｓ１１）。以上が、主電源スイッチ１２がオフからオンに切換った直後の画像形成装置ＣＰＲの動作である。
【００３２】
次に、画像形成装置ＣＰＲの実動作、たとえば作像エンジン５のプリント準備のためのスタートサイクル，プリント又は複写のための作像、が始まった以降に、エンジンボード１のいずれかのタスクが、作像プロセス条件の調整値を変更し、これに伴ってＲＡＭ１５の領域１５ａの該当の調整値を書き換え、これに対応してＮＶＲＡＭ２７の対応データの書き換えが必要になった時の、エンジンボード１上の処理を、図４を用いて説明する。各タスク３５〜３８は、作像プロセス条件の調整値を変更したとき（Ｓ２１，Ｓ２２）、コピアインターフェース３３に通知し（Ｓ２３，(4)）、コピアインターフェース３３は、格納領域１５ａの該当の調整値データの書き換えを行い（Ｓ２５，Ｓ２６，(2)）、複写ボード１に対し、ＮＶＲＡＭ２７の該当データの書き込み要求を通知する（Ｓ２７，(5)）。
【００３３】
ところで、本画像形成装置ＣＰＲにおいては、夜間モード時や長時間待機時の消費電力を抑え、なおかつ作像可状態への復帰時の動作可能時間を短縮するため、複写ボード２がエンジンボード１および作像エンジン５のオフ／オンを決定する副電源スイッチ１３，１４を持っている。主電源スイッチ１２のオフからオンへの切換りによって電源回路１１が電圧出力を開始するときは、エンジンボード１上のＲＡＭ１５は電源が供給されたばかりなので不定であるが、前に説明したように、その後副電源スイッチ１３がオンになってＣＰＵ１９が起動してから、ＮＶＲＡＭ２７にある作像プロセス条件の調整値が、ＲＡＭ１５にダウンロードされるので、ＲＡＭ１５の作像プロセス条件の調整値にデータエラーを生じない。その後は主電源スイッチ１２がオンで電源が供給されている限りＲＡＭ１５上のデータは保持される。
【００３４】
一方、エンジンボード１上のＣＰＵ１９は、ハード構成上、複写ボード２のＣＰＵ２０の指示により、副電源スイッチ１３，１４がオフにされると電源が供給されなくなるため動作を停止する。
【００３５】
再度図３を参照する。複写ボード２のＣＰＵ２０の指示により副電源スイッチ１３，１４が再投入（再度オン）されると、ＣＰＵ１９が動きだし、主電源投入検出回路２８のアンドゲート３１の出力Ｐｓを参照して、それが主電源スイッチ１２のオンの継続中の副電源スイッチ１３，１４の再投入（再度オン）を意味するＨであるので、ＣＰＵ１９は、ＲＡＭ１５の不揮発データ格納領域を除いた領域を初期化し（Ｓ１４）、そして各タスク３５〜３８に一斉に動作開始を要求する（Ｓ１５，Ｓ１６）。
【００３６】
以上のように、ＣＰＵ１９の起動時（Ｓ３）、それへの給電の開始が、主電源スイッチ１２の投入に連動するもの（Ｐｓ＝Ｌ）か、あるいは主電源スイッチ１２は継続してオンのままで副電源スイッチ１３が一旦遮断された後の再投入によるもの（Ｐｓ＝Ｈ）かを判断し（Ｓ４）、主電源スイッチ１２の投入の場合（Ｐｓ＝Ｌ）は、ステップＳ５〜Ｓ１１の、ＲＡＭ１５初期化とそれへの不揮発データ（ＮＶＲＡＭ２７にある作像プロセス条件の調整値）のダウンロードを行う。主電源スイッチ１２が継続してオンのままの副電源スイッチの再投入時には、ＲＡＭ１５の、不揮発データ格納領域１５ａを除いた領域を初期化し（Ｓ１４）、直ちに各タスク（３０〜３３）を起動する（Ｓ１５）ので、主電源スイッチ１２の投入の場合の処理（Ｓ５〜Ｓ１１）に比べて、電源オンになってからタスクを起動するまでの処理時間が短い。
【図面の簡単な説明】
【図１】  （ａ）は本発明の一実施例の構成の概要を示すブロック図、（ｂ）は（ａ）に示すボード１〜４上のマイクロコンピュータシステムの主要素とボードへの給電線を示すブロック図である。
【図２】  （ａ）は図１の（ｂ）に示すＲＯＭ２３およびＲＡＭ１５上に割り当てたデータ書込領域を模式的に示す平面図、（ｂ）はエンジンボード１の処理機能の主要な数点を示すブロック図である。
【図３】  エンジンボード１および複写ボード２の、それぞれに電源が投入された直後のデータ転送の内容を示すフローチャートである。
【図４】  エンジンボード１が作像プロセス条件の調整値を変更したときの、エンジンボード１上のデータ処理を示すフローチャートである。
【符号の説明】
２８：主電源投入検出回路    ２９，３２：抵抗
３０：コンデンサ            ３１：アンドゲート
【図１】
0004169308.tif 000002
【図２】
0004169308.tif 000003
【図３】
0004169308.tif 000004
【図４】
0004169308.tif 000005